(57)【要約】【課題】アドレス帳の更新に要する利用者の負担を軽減する。アドレス帳における相手のアドレスを常に最新のものに保つ。新しいアドレスの不用意な漏洩を防止する。【解決手段】利用者端末１，２に遠隔更新部１−４，２−４を設け、メールサーバ３，４に通知部３−２，４−２を設け、利用者端末１から利用者Ａが自分のメールアドレスの変更を指示し、メールサーバ３においてそのメールアドレスが変更された場合、利用者端末２内のアドレス帳２−２に登録されている利用者Ａのメールアドレスが自動的に変更されるようにする。【選択図】  図１
2005033733.tif 000002
【特許請求の範囲】
【請求項１】
第１および第２の端末と、サーバと、この第１および第２の端末とサーバとを接続するネットワークとを備えたネットワークシステムにおいて、
前記第１の端末からその端末の利用者のアドレスの変更を指示する工程と、
前記第１の端末から指示された利用者のアドレスを前記サーバにおいて変更する工程と、
前記サーバにおいて変更された利用者のアドレスと対応する前記第２の端末のアドレス帳におけるアドレスを自動的に変更する工程と
を備えたことを特徴とするアドレス帳変更方法。
【請求項２】
第１および第２の端末と、第１および第２のサーバと、前記第１および第２の端末と前記第１および第２のサーバとを接続するネットワークとを備え、
前記第１の端末は相手のアドレスとその相手に通知している第１の端末の利用者のアドレスとの対応を示す第１のアドレス帳を有し、
前記第２の端末は相手のアドレスとその相手に通知している第２の端末の利用者のアドレスとの対応を示す第２のアドレス帳を有し、
前記第１のサーバは少なくとも前記第１の端末の利用者のアドレスと前記第１の端末のアドレスとの対応を示す第１の設定テーブルを有し、
前記第２のサーバは少なくとも前記第２の端末の利用者のアドレスと前記第２の端末のアドレスとの対応を示す第２の設定テーブルを有するネットワークシステムにおいて、
前記第１の端末からその端末の利用者のアドレスの変更を指示する工程と、
前記第１のサーバの第１の設定テーブルにおける前記第１の端末から指示された利用者のアドレスを変更する工程と、
この変更された利用者のアドレスに対応する端末のアドレスを前記第１のサーバの第１の設定テーブルより取得する工程と、
この第１の設定テーブルより取得された端末のアドレスから前記第１の端末を特定し、この特定した第１の端末の第１のアドレス帳における前記第１の設定テーブルにおいて変更された利用者のアドレスを変更する工程と、
この変更された利用者のアドレスに対応する相手のアドレスを前記第１のアドレス帳より取得する工程と、
この第１のアドレス帳より取得された相手のアドレスに対応する端末のアドレスを前記第２のサーバの第２の設定テーブルより取得する工程と、
この第２の設定テーブルより取得された端末のアドレスから前記第２の端末を特定し、この特定した第２の端末の第２のアドレス帳における前記第１の設定テーブルにおいて変更された利用者のアドレスを変更する工程と
を備えたことを特徴とするアドレス帳変更方法。
【請求項３】
第１および第２の端末と、この第１および第２の端末に対して共通に設けられたサーバと、前記第１および第２の端末と前記サーバとを接続するネットワークとを備え、
前記第１の端末は相手のアドレスとその相手に通知している第１の端末の利用者のアドレスとの対応を示す第１のアドレス帳を有し、
前記第２の端末は相手のアドレスとその相手に通知している第２の端末の利用者のアドレスとの対応を示す第２のアドレス帳を有し、
前記サーバは少なくとも前記第１の端末および第２の端末の利用者のアドレスと前記第１の端末および第２の端末のアドレスとの対応を示す設定テーブルを有するネットワークシステムにおいて、
前記第１の端末からその端末の利用者のアドレスの変更を指示する工程と、
前記サーバの設定テーブルにおける前記第１の端末から指示された利用者のアドレスを変更する工程と、
この変更された利用者のアドレスに対応する端末のアドレスを前記サーバの設定テーブルより取得する工程と、
この設定テーブルより取得された端末のアドレスから前記第１の端末を特定し、この特定した第１の端末の第１のアドレス帳における前記設定テーブルにおいて変更された利用者のアドレスを変更する工程と、
この変更された利用者のアドレスに対応する相手のアドレスを前記第１のアドレス帳より取得する工程と、
この第１のアドレス帳より取得された相手のアドレスに対応する端末のアドレスを前記サーバの設定テーブルより取得する工程と、
この設定テーブルより取得された端末のアドレスから前記第２の端末を特定し、この特定した第２の端末の第２のアドレス帳における前記設定テーブルにおいて変更された利用者のアドレスを変更する工程と
を備えたことを特徴とするアドレス帳変更方法。
【請求項４】
第１および第２の端末と、サーバと、この第１および第２の端末とサーバとを接続するネットワークとを備えたネットワークシステムにおいて、
前記第１の端末からその端末の利用者のアドレスの変更を指示する手段と、
前記第１の端末から指示された利用者のアドレスを前記サーバにおいて変更する手段と、
前記サーバにおいて変更された利用者のアドレスと対応する前記第２の端末のアドレス帳におけるアドレスを自動的に変更する手段と
を備えたことを特徴とするネットワークシステム。
【請求項５】
第１および第２の端末と、第１および第２のサーバと、前記第１および第２の端末と前記第１および第２のサーバとを接続するネットワークとを備え、
前記第１の端末は相手のアドレスとその相手に通知している第１の端末の利用者のアドレスとの対応を示す第１のアドレス帳を有し、
前記第２の端末は相手のアドレスとその相手に通知している第２の端末の利用者のアドレスとの対応を示す第２のアドレス帳を有し、
前記第１のサーバは少なくとも前記第１の端末の利用者のアドレスと前記第１の端末のアドレスとの対応を示す第１の設定テーブルを有し、
前記第２のサーバは少なくとも前記第２の端末の利用者のアドレスと前記第２の端末のアドレスとの対応を示す第２の設定テーブルを有するネットワークシステムにおいて、
前記第１の端末からその端末の利用者のアドレスの変更を指示する手段と、
前記第１のサーバの第１の設定テーブルにおける前記第１の端末から指示された利用者のアドレスを変更する手段と、
この変更された利用者のアドレスに対応する端末のアドレスを前記第１のサーバの第１の設定テーブルより取得する手段と、
この第１の設定テーブルより取得された端末のアドレスから前記第１の端末を特定し、この特定した第１の端末の第１のアドレス帳における前記第１の設定テーブルにおいて変更された利用者のアドレスを変更する手段と、
この変更された利用者のアドレスに対応する相手のアドレスを前記第１のアドレス帳より取得する手段と、
この第１のアドレス帳より取得された相手のアドレスに対応する端末のアドレスを前記第２のサーバの第２の設定テーブルより取得する手段と、
この第２の設定テーブルより取得された端末のアドレスから前記第２の端末を特定し、この特定した第２の端末の第２のアドレス帳における前記第１の設定テーブルにおいて変更された利用者のアドレスを変更する手段と
を備えたことを特徴とするネットワークシステム。
【請求項６】
第１および第２の端末と、この第１および第２の端末に対して共通に設けられたサーバと、前記第１および第２の端末と前記サーバとを接続するネットワークとを備え、
前記第１の端末は相手のアドレスとその相手に通知している第１の端末の利用者のアドレスとの対応を示す第１のアドレス帳を有し、
前記第２の端末は相手のアドレスとその相手に通知している第２の端末の利用者のアドレスとの対応を示す第２のアドレス帳を有し、
前記サーバは少なくとも前記第１の端末および第２の端末の利用者のアドレスと前記第１の端末および第２の端末のアドレスとの対応を示す設定テーブルを有するネットワークシステムにおいて、
前記第１の端末からその端末の利用者のアドレスの変更を指示する手段と、
前記サーバの設定テーブルにおける前記第１の端末から指示された利用者のアドレスを変更する手段と、
この変更された利用者のアドレスに対応する端末のアドレスを前記サーバの設定テーブルより取得する手段と、
この設定テーブルより取得された端末のアドレスから前記第１の端末を特定し、この特定した第１の端末の第１のアドレス帳における前記設定テーブルにおいて変更された利用者のアドレスを変更する手段と、
この変更された利用者のアドレスに対応する相手のアドレスを前記第１のアドレス帳より取得する手段と、
この第１のアドレス帳より取得された相手のアドレスに対応する端末のアドレスを前記サーバの設定テーブルより取得する手段と、
この設定テーブルより取得された端末のアドレスから前記第２の端末を特定し、この特定した第２の端末の第２のアドレス帳における前記設定テーブルにおいて変更された利用者のアドレスを変更する手段と
を備えたことを特徴とするネットワークシステム。
【発明の詳細な説明】
【技術分野】
【０００１】
この発明は、電子メール、電話（特にＩＰ電話）、インスタントメッセッンジャーなどのコミュニケーションサービスにおけるアドレス帳変更方法およびネットワークシステムに関するものである。
【背景技術】
【０００２】
従来より、ネットワークを利用したコミュニケーションサービスの１つとして、電子メールサービスがある。この電子メールサービスでは、パーソナルコンピュータや携帯電話機などの利用者端末にインストールされているメールソフトを用いることにより、ネットワークに接続されている利用者端末間で電子メールの送受信を行うことができる。電子メールの作成に際しては、送信する相手を指定するために、アドレス帳が用いられる。
【０００３】
〔従来例１〕
図１４を用いてアドレス帳を手動更新する従来の電子メールサービスの概略について説明する。同図において、１は利用者Ａが使用する利用者端末、２は利用者Ｂが使用する利用者端末、３は利用者Ａが加入しているメールサーバ、４は利用者Ｂが加入しているメールサーバ、５は利用者端末１，２とメールサーバ３，４とを接続するコンピュータネットワーク（インターネット）である。
【０００４】
利用者端末１は、メールソフト（以下、メールＡＰと呼ぶ）１−１、アドレス帳１−２、ブラウザなどの閲覧ソフト（以下、閲覧ＡＰと呼ぶ）１−３を備えている。利用者端末２も利用者端末１と同様、メールＡＰ２−１、アドレス帳２−２、閲覧ＡＰ２−３を備えている。メールサーバ３はメールサービスを提供する配信部３−１を備えている。メールサーバ４もメールサー３と同様、メールサービスを提供する配信部４−１を備えている。アドレス帳１−２には利用者Ａがよく連絡する相手のメールアドレスが登録されている。アドレス帳２−２には利用者Ｂがよく連絡する相手のメールアドレスが登録されている。
【０００５】
〔電子メールの送信〕
利用者Ａが利用者Ｂに電子メールを送信する場合、利用者Ａは利用者端末１のメールＡＰ１−１を起動し、利用者Ｂあての電子メールを作成する。この電子メールの作成にあたって、利用者Ａはアドレス帳１−２から利用者Ｂのメールアドレスを選択し、送信する相手のメールアドレスとしてセットする。この作成された電子メールは、利用者端末１からインターネット５へ送り出され、メールサーバ３，４を経て、利用者Ｂの利用者端末２へ配送される。利用者Ｂから利用者Ａへの電子メールの送信も同様にして行われる。
【０００６】
〔メールアドレスの変更〕
利用者Ａにはメールサーバ３からメールアドレス（自分のメールアドレス）が割り当てられている。このメールアドレスは、閲覧ＡＰ１−３からメールサーバ３にアクセスすることによって、必要に応じて変更することができる。利用者Ｂにもメールサーバ４からメールアドレスが割り当てられており、閲覧ＡＰ２−３からメールサーバ４にアクセスすることによって、必要に応じて変更することができる。
【０００７】
例えば、今、利用者Ａが閲覧ＡＰ１−３を介してメールサーバ３にアクセスし、自分のメールアドレスを変更したとする（図１５に示す矢印（１），（２））。この場合、利用者Ａは、メールアドレスの変更を知らせる電子メール（連絡メール）を作成し、この連絡メールにアドレス帳１−２から選択した相手のメールアドレスをセットし、送信する（図１５に示す矢印（３），（４），（５））。
【０００８】
この連絡メールは、利用者端末１からインターネット５へ送り出され、メールサーバ３，４を経て、利用者Ｂの利用者端末２へ配送される（図１５に示す矢印（６），（７），（８））。利用者Ｂは、利用者Ａからの連絡メールを受けて、その連絡メールに記載されている利用者Ａの新しいメールアドレスをアドレス帳２−２に追加し、それまでの古いメールアドレスを削除する（図１５に示す矢印（９），（１０））。
【０００９】
〔従来例２〕
図１６を用いてアドレス帳を自動更新する従来の電子メールサービスについて説明する。このシステムでは、インターネット５上に、アドレス帳サービスを提供するメールサービスサーバ６を設けている。メールサービスサーバ６は、利用者Ａのアドレス帳６−１と、利用者Ｂのアドレス帳６−２と、利用者Ａと利用者Ｂの両方が加入しているメールサーバ６−３と、アドレス帳６−１および６−２の自動更新を実現するアドレス更新部６−４とを備えている（非特許文献１参照）。
【００１０】
なお、このシステムにおいて、利用者Ａのアドレス帳６−１および利用者Ｂのアドレス帳６−２には、メールサーバ６−３に加入している相手のメールアドレスしか登録されない。すなわち、このメールサービスサーバ６によるアドレス帳サービスは、メールサーバ６−３に加入している同一加入者に対してしか提供されない。また、図には利用者Ａのアドレス帳６−１と利用者Ｂのアドレス帳６−２しか示していないが、メールサービスサーバ６内には同一加入者の各自のアドレス帳が存在する。
【００１１】
〔メールアドレスの変更〕
利用者Ａにはメールサーバ６−３からメールアドレス（自分のメールアドレス）が割り当てられている。このメールアドレスは、閲覧ＡＰ１−３からメールサーバ６−３にアクセスすることによって、必要に応じて変更することができる。利用者Ｂにもメールサーバ６−３からメールアドレスが割り当てられており、閲覧ＡＰ２−３からメールサーバ６−３にアクセスすることによって、必要に応じて変更することができる。
【００１２】
例えば、今、利用者Ａがメールサーバ６−３にアクセスし、自分のメールアドレスの変更を指示したとする（図１７に示す矢印（１），（２））。この場合、メールサービスサーバ６のアドレス更新部６−４は、メールサーバ６−３における利用者Ａのメールアドレスを変更するとともに（図１７に示す矢印（３））、利用者Ｂのアドレス帳６−２内の利用者Ａのメールアドレスを更新する（図１７に示す矢印（４））。
【００１３】
【非特許文献１】「メールアドレスの自動追尾機能」、〔平成１５年７月７日検索〕インターネット＜http://mail-i.com/pc#index.html、http://mail-i.com/navi05.html＞
【発明の開示】
【発明が解決しようとする課題】
【００１４】
上述した電子メールサービスでは、メールアドレスの不正漏洩、プライバシー保護、迷惑メールなどの防止のために、利用者はメールアドレスを適宜変更することによって対処している。また、利用者は、複数のメールアドレスを相手に応じて使い分けている。すなわち、利用者は、複数のメールアドレスを保有しており、このメールアドレスを頻繁に変更する。
【００１５】
上述した従来例１では、例えば利用者Ａがメールアドレスを変更した場合、利用者Ａはそのメールアドレスの変更を知らせる連絡メールを作成して利用者Ｂへ送信するという作業を行わなければならない。また、利用者Ｂは自分のアドレス帳における利用者Ａのメールアドレスを手動で変更するという作業を行わなければならない。このように従来例１では、利用者Ａ，Ｂともに面倒な作業が強いられる。このため、自然と変更作業が疎かとなり、アドレス帳における相手のメールアドレスが最新のものに保たれない。
また、利用者が複数のメールアドレスを保有している場合、その中の１つのメールアドレスを変更した際に、不必要な相手に変更したメールアドレスを知らせてしまうことがあり、思わぬところから新しいメールアドレスが漏洩してしまうということがあった。
【００１６】
また、上述した従来例２では、メールサービスサーバ６における利用者Ａのアドレス帳６−１や利用者Ｂのアドレス帳６−２は自動更新されるが、利用者端末１における利用者Ａのアドレス帳１−２や利用者端末２における利用者Ｂのアドレス帳２−２は自動更新されない。すなわち、従来例２は、メールサーバ６−３に加入している同一加入者間のサービスであり、メールサーバ３のみに加入している人、メールサーバ４のみに加入している人については、サービスを受けることができなかった。また、利用者端末１内の利用者Ａのアドレス帳１−２や利用者端末２内の利用者Ｂのアドレス帳２−２は自動更新されないため、従来例１と同様に手動で更新する必要があった。
【課題を解決するための手段】
【００１７】
このような課題を解決するために、本発明のアドレス帳変更方法（ネットワークシステム）は、第１および第２の端末と、サーバと、この第１および第２の端末とサーバとを接続するネットワークとを備えたネットワークシステムにおいて、第１の端末からその端末の利用者のアドレスの変更を指示する工程（手段）と、第１の端末から指示された利用者のアドレスをサーバにおいて変更する工程（手段）と、サーバにおいて変更された利用者のアドレスと対応する第２の端末のアドレス帳におけるアドレスを自動的に変更する工程（手段）とを設けたものである。
この発明によれば、第１の端末からその端末の利用者が自分のアドレスの変更を指示すると、その指示されたアドレスがサーバにおいて変更される。また、これと合わせて、第２の端末のアドレス帳における対応する利用者のアドレスが自動的に変更される。
【００１８】
なお、本発明において、「アドレスの変更」には「アドレスの廃止」も含まれる。すなわち、本発明において、第１の端末から自分のアドレスの廃止を指示すれば、第２の端末のアドレス帳に登録されている第１の端末の利用者のアドレスが自動的に削除される。
また、アドレスとしては、メールアドレスの他、電話番号、特に今後電話番号が自由に割り当て可能になるＩＰ電話の電話番号、インスタントメッセッンジャーで使用されるアドレスなどが考えられる。
また、本発明において、利用者は自分のアドレスを複数所有している場合もある。この場合、利用者は、複数所有している自分のアドレスの中から所望のアドレスを選んで変更を指示する。すると、その変更を指示した利用者のアドレスが、他の端末内のアドレス帳において自動的に変更される。
【発明の効果】
【００１９】
本発明によれば、第１の端末からその端末の利用者が自分のアドレスの変更を指示し、その指示されたアドレスがサーバにおいて変更されると、第２の端末内のアドレス帳に登録されている対応する利用者のアドレスが自動的に変更されるので、すなわち利用者のアドレスの変更に際して従来手動で行われていた一連の手順が自動的に行われるので、第１の端末の利用者、第２の端末の利用者ともに面倒な作業が強いられることがなく、利用者にかかる負担を大幅に軽減することができると同時に、アドレス帳における相手のアドレスを常に最新のものに保つことができるようになる。また、自動的に、必要な相手にのみ変更後のアドレスが伝達され、相手のアドレス帳の内容が変更されるので、新しいアドレスの不用意な漏洩を防止することができる。
【発明を実施するための最良の形態】
【００２０】
以下、本発明を図面に基づいて詳細に説明する。図１はこの発明に係るアドレス帳変更方法の実施に用いるネットワークシステムの一例を示すシステム構成図である。同図において、図１４と同一符号は図１４を参照して説明した構成要素と同一或いは同等構成要素を示す。
【００２１】
この実施の形態では、利用者端末１に遠隔更新部１−４を、利用者端末２に遠隔更新部２−４を、メールサーバ３に通知部３−２を、メールサーバ４に通知部４−２を設けている。遠隔更新部１−４および２−４、通知部３−２および４−２の機能については、後述する。
【００２２】
また、この実施の形態では、利用者端末１のアドレス帳１−２に、利用者Ａがよく連絡する相手のメールアドレスに加え、その相手に通知している利用者Ａのメールアドレスを設定している。また、利用者端末２のアドレス帳２−２に、利用者Ｂがよく連絡する相手のメールアドレスに加え、その相手に通知している利用者Ｂのメールアドレスを設定している。
【００２３】
図２に利用者端末１のアドレス帳１−２に設定されているデータ例を示す。この例では、相手のメールアドレスとして利用者Ｂのメールアドレス「riyoub@mail.com 」と、利用者Ｃのメールアドレス「riyouc@mail.com 」と、利用者Ｄのメールアドレス「riyoud@mail.com 」を登録しており、この利用者Ｂ，Ｃ，Ｄのメールアドレスに対応して、利用者Ａが利用者Ｂ，Ｃ，Ｄに知らせている自分のメールアドレス「riyoua1@address.com」，「riyoua2@address.com 」，「riyoua3@address.com」を設定している。図３にこの場合の利用者とメールアドレスとの関係を示す。
【００２４】
図４に利用者端末２のアドレス帳２−２に設定されているデータ例を示す。この例では、相手のメールアドレスとして利用者Ａのメールアドレス「riyoua1@address.com 」と、利用者Ｃのメールアドレス「riyouc@mail.com」と、利用者Ｄのメールアドレス「riyoud@mail.com」を登録しており、この利用者Ａ，Ｃ，Ｄのメールアドレスに対応して、利用者Ｂが利用者Ａ，Ｃ，Ｄに知らせている自分のメールアドレス「riyoub@mail.com 」を設定している。図５にこの場合の利用者とメールアドレスとの関係を示す。
【００２５】
また、この実施の形態では、メールサーバ３の配信部３−１に、メールサーバ３に加入している利用者のメールアドレスとそのメールアドレスを保有する利用者が使用する利用者端末のアドレス（端末番号）との対応を示す設定テーブルＴＢ１を設けている。また、メールサーバ４の配信部４−１に、メールサーバ４に加入している利用者のメールアドレスとそのメールアドレスを保有する利用者が使用する利用者端末のアドレス（端末番号）との対応を示す設定テーブルＴＢ２を設けている。
【００２６】
図６にメールサーバ３の配信部３−１の設定テーブルＴＢ１に設定されているデータ例を示す。この例では、利用者Ａが保有するメールアドレス「riyoua1@address.com」，「riyoua2@address.com」，「riyoua3@address.com 」に対応して、利用者Ａが使用する利用者端末１の端末番号「000102」が設定されている。なお、設定テーブルＴＢ１には、利用者のメールアドレスと端末番号との対応に加え、アカウントとパスワードも設定する。
【００２７】
図７にメールサーバ４の配信部４−１の設定テーブルＴＢ２に設定されているデータ例を示す。この例では、利用者Ｂ，Ｃ，Ｄが保有するメールアドレス「riyoub@mail.com」，「riyouc@mail.com」，「riyoud@mail.com」に対応して、利用者Ｂが使用する利用者端末１の端末番号「000103」，利用者Ｃが保有する利用者端末（図示せず）の端末番号「00010x」，利用者Ｄが保有する利用者端末（図示せず）の端末番号「00010y」が設定されている。なお、設定テーブルＴＢ２には、利用者のメールアドレスと端末番号との対応に加え、アカウントとパスワードを設定する。
【００２８】
〔アドレス帳の自動更新〕
次に、遠隔更新部１−４および２−４、通知部３−２および４−２の機能を交えながら、このネットワークシステムにおけるアドレス帳の自動更新について説明する。
【００２９】
例えば、今、利用者Ａが利用者Ｂに知らせている自分のメールアドレス「riyoua1@address.com」を「henko@address.com」に変更するものとする。
この場合、利用者Ａは、利用者端末１の閲覧ＡＰ１−３を用いてメールサーバ３の通知部３−２にアクセスし、メールアドレス「riyoua1@address.com」の「henko@address.com」への変更を知らせる（図８に示す矢印（１），（２））。
【００３０】
メールサーバ３の通知部３−２は、利用者Ａからのメールアドレス「riyoua1@address.com」の「henko@address.com」への変更の知らせを受けて、配信部３−１の設定テーブルＴＢ１におけるメールアドレスの設定を変更する（図８に示す矢印（３））。すなわち、図９に示すように、設定テーブルＴＢ１における利用者Ａのそれまでのメールアドレス「riyoua1@address.com」を「henko@address.com」に変更する。
【００３１】
次に、通知部３−２は、配信部３−１の設定テーブルＴＢ１から変更したメールアドレス「henko@address.com」に対応する端末番号を「000102」取得し（図８に示す矢印（４），（５））、この取得した端末番号「000102」から通知先として利用者端末１を特定する。そして、この特定した利用者端末１の遠隔更新部１−４に、利用者Ａのメールアドレス「riyoua1@address.com」を「henko@address.com」に変更する旨の指令を送る（図８に示す矢印（６））。
【００３２】
利用者端末１の遠隔更新部１−４は、メールサーバ３からの指令を受けて、アドレス帳１−２における利用者Ａのメールアドレス「riyoua1@address.com」を「henko@address.com」に変更する（図８に示す矢印（７）、図１０参照）。
【００３３】
そして、遠隔更新部１−４は、この変更した利用者Ａのメールアドレス「henko@address.com」に対応する相手のメールアドレス「riyoub@mail.com」（利用者Ｂのメールアドレス）をアドレス帳１−２より取得し、この取得した利用者Ｂのメールアドレス「riyoub@mail.com」からメールサーバ４を特定する（図８に示す矢印（９））。
【００３４】
そして、遠隔更新部１−４は、その特定したメールサーバ４の通信部４−２に、利用者Ｂが使用する利用者端末２のアドレス帳２−２における相手のアドレス「riyoua1@address.com」を「henko@address.com」に変更する旨の変更通知を送る（図８に示す矢印（１０））。
【００３５】
メールサーバ４の通信部４−２は、利用者端末１の遠隔更新部１−４からの変更通知を受けて、配信部４−１の設定テーブルＴＢ２における利用者Ｂのメールアドレス「riyoub@mail.com 」に対応する端末番号「000103」を取得し（図８に示す（１１），（１２）、図１１参照）、この取得した端末番号「000103」から通知先として利用者端末２を特定する。
【００３６】
そして、通知部４−２は、その特定した利用者端末２の遠隔更新部２−４に、利用者端末２のアドレス帳２−２における利用者Ａのメールアドレス「riyoua1@address.com 」を「henko@address.com」に変更する旨の変更通知を送る（図８に示す矢印（１３））。
【００３７】
利用者端末２の遠隔更新部２−４は、メールサーバ４の通知部４−２からの変更通知を受けて、アドレス帳２−２における利用者Ａのメールアドレス「riyoua1@address.com 」を「henko@address.com」に変更する（図８に示す矢印（１４）、図１２参照）。
【００３８】
以上の説明から分かるように、本実施の形態では、利用者のメールアドレスの変更に際して従来手動で行われていた一連の手順が自動的に行われるので、利用者Ａ、利用者Ｂともに面倒な作業が強いられることがなく、利用者Ａ，Ｂにかかる負担を大幅に軽減することができると同時に、アドレス帳１−２，１−３における相手のメールアドレスを常に最新のものに保つことができるようになる。また、自動的に、必要な相手にのみ変更後のメールアドレスが伝達され、相手のアドレス帳の内容が変更されるので、新しいアドレスの不用意な漏洩を防止することができる。
【００３９】
なお、上述した実施の形態では、利用者Ａがメールサーバ３に加入しており、利用者Ｂがメールサーバ４に加入している場合を例にとって説明したが、図１３に示すように、利用者Ａ，利用者Ｂのメールアドレスを管理する共通のメールサーバ７を設け、この共通のサーバ７に配信部７−１と通知部７−２を設け、また配信部７−１に利用者のメールアドレスと利用者端末のアドレス（端末番号）との対応を示す設定テーブルＴＢを設け、メールサーバ３，４において行ったと同様の処理を共通のメールサーバ７で行わせるようにしてもよい。
【００４０】
また、上述した実施の形態では、説明を簡単とするために利用者Ａの利用者端末１と利用者Ｂの利用者端末２しか示さなかったが、コンピュータネットワーク５上には複数の利用者端末が存在することは言うまでもない。この複数の利用者端末間で同様にしてアドレス帳の自動更新が行われる。
【図面の簡単な説明】
【００４１】
【図１】本発明に係るアドレス帳変更方法の実施に用いるネットワークシステムの一例を示すシステム構成図である。
【図２】利用者Ａのアドレス帳に設定されているデータ例を示す図である。
【図３】利用者Ａのアドレス帳に設定された利用者とメールアドレスとの関係を示す図である。
【図４】利用者Ｂのアドレス帳に設定されているデータ例を示す図である。
【図５】利用者Ｂのアドレス帳に設定された利用者とメールアドレスとの関係を示す図である。
【図６】利用者Ａが加入しているメールサーバの配信部に設定されている設定テーブルＴＢ１のデータ例を示す図である。
【図７】利用者Ｂが加入しているメールサーバの配信部に設定されている設定テーブルＴＢ２のデータ例を示す図である。
【図８】このシステムにおけるアドレス帳の自動更新を説明するシーケンス図である。
【図９】設定テーブルＴＢ１におけるメールアドレスの設定変更を説明する図である。
【図１０】利用者Ａのアドレス帳における自分のメールアドレスの変更およびそのメールアドレスを知らせている相手のメールアドレスの取得を説明する図である。
【図１１】設定テーブルＴＢ２からの利用者Ｂが使用する利用者端末の端末番号の取得を説明する図である。
【図１２】利用者Ｂのアドレス帳における相手のメールアドレスの変更を説明する図である。
【図１３】共通のメールサーバを設けるようにした場合のシステム構成図である。
【図１４】アドレス帳を手動更新する従来の電子メールサービスの概略を示すシステム構成図である。
【図１５】このシステムにおけるアドレス帳の手動更新を説明するシーケンス図である。
【図１６】アドレス帳を自動更新する従来の電子メールサービスの概略を示すシステム構成図である。
【図１７】このシステムにおけるアドレス帳の自動更新を説明するシーケンス図である。
【符号の説明】
【００４２】
１…利用者端末（利用者Ａの利用者端末）、１−１…メールソフト（メールＡＰ）、１−２…アドレス帳、１−３…閲覧ソフト（閲覧ＡＰ）、２…利用者端末（利用者Ｂの利用者端末）、２−１…メールソフト（メールＡＰ）、２−２…アドレス帳、２−３…閲覧ソフト（閲覧ＡＰ）、３，４…メールサーバ、３−１，４−１…配信部、３−２，４−２…通知部、ＴＢ１，ＴＢ２…設定テーブル、５…コンピュータネットワーク（インターネット）、７…共通のメールサーバ、７−１…配信部、７−２…通知部。
【図１】
2005033733.tif 000003
【図２】
2005033733.tif 000004
【図３】
2005033733.tif 000005
【図４】
2005033733.tif 000006
【図５】
2005033733.tif 000007
【図６】
2005033733.tif 000008
【図７】
2005033733.tif 000009
【図８】
2005033733.tif 000010
【図９】
2005033733.tif 000011
【図１０】
2005033733.tif 000012
【図１１】
2005033733.tif 000013
【図１２】
2005033733.tif 000014
【図１３】
2005033733.tif 000015
【図１４】
2005033733.tif 000016
【図１５】
2005033733.tif 000017
【図１６】
2005033733.tif 000018
【図１７】
2005033733.tif 000019